(57)【要約】【課題】器具取付台の角度調整を容易にすることを目的とする。【解決手段】器具取付台は、設置面１０１に取り付けられる設置部材３と、所定の器具を取り付ける取付面を有する器具取付部材４と、設置部材３に器具取付部材４を固定するためのナットプレート９とを備える。設置部材３は、設置部材軸孔７−１と設置部材可動孔８−１とを有する。器具取付部材４は、取付部材軸孔７−２と弧状に形成された取付部材可動孔８−２とを有する。ナットプレート９は、設置部材軸孔７−１と取付部材軸孔７−２とを貫通したボルトが挿入され、上記ボルトを固定するための軸部固定孔と、設置部材可動孔８−１と取付部材可動孔８−２とを貫通したボルトが挿入され、上記ボルトを固定する可動部固定孔とを有する。各ボルトを緩めることで、設置部材軸孔７−１と取付部材軸孔７−２とを貫通したボルトを軸にして、設置部材３に対して器具取付部材４を回動させて角度調整できる。【選択図】図４
2009156373.tif 000002
【特許請求の範囲】
【請求項１】
設置面に取り付けられる設置部材と、所定の器具を取り付ける取付面を有する器具取付部材と、上記設置部材に上記器具取付部材を固定するためのナットプレートとを備える器具取付台であって、上記設置面に対する上記器具取付部材の取付面の角度を調節可能に上記設置部材に上記器具取付部材が取り付けられる器具取付台であり、
上記設置部材は、第１の固定部材が挿入される設置部材軸孔と、第２の固定部材が挿入される設置部材可動孔とを有し、
上記器具取付部材は、上記第１の固定部材が挿入される取付部材軸孔と、上記設置部材軸孔と上記取付部材軸孔とに挿入された上記第１の固定部材を軸にして、上記設置部材に対して上記器具取付部材を所定の範囲で回動させて上記設置面に対する上記取付面の角度を調節した場合であっても、上記設置部材可動孔と少なくとも一部が重なるように設けられ、上記第２の固定部材が挿入される取付部材可動孔とを有し、
上記ナットプレートは、上記設置部材軸孔と上記取付部材軸孔とに挿入された上記第１の固定部材が挿入され、上記第１の固定部材を固定するための軸部固定孔と、上記設置部材可動孔と上記取付部材可動孔とに挿入された上記第２の固定部材が挿入され、上記第２の固定部材を固定する可動部固定孔と
を有することを特徴とする器具取付台。
【請求項２】
上記器具取付台は、さらに、
上記設置部材軸孔と上記取付部材軸孔とに挿入される上記第１の固定部材が挿入される軸部保護孔と、上記設置部材可動孔と上記取付部材可動孔とに挿入される上記第２の固定部材が挿入される可動部保護孔とを有するワッシャープレート
を備えることを特徴とする請求項１に記載の器具取付台。
【請求項３】
上記設置部材可動孔又は上記取付部材可動孔の付近には、取付面の角度調整用の目盛が設けられ、
上記ワッシャープレートには、上記目盛を指す所定のマークが設けられた
ことを特徴とする請求項２に記載の器具取付台。
【請求項４】
設置面に取り付けられる底面部と、上記底面部に略垂直に設けられ、設置部材軸孔と設置部材可動孔とが設けられた設置側面部とを有する設置部材と、
所定の器具を取り付ける取付面と、上記取付面に略垂直に設けられ、取付部材軸孔と取付部材可動孔とが設けられた取付側面部とを有する器具取付部材と、
上記設置部材に設けられた設置部材軸孔と上記器具取付部材に設けられた取付部材軸孔とを貫通した第１の固定部材を固定する軸部固定孔と、上記設置部材に設けられた設置部材可動孔と上記器具取付部材に設けられた取付部材可動孔とを貫通した第２の固定部材を固定する可動部固定孔とを有する板状のナットプレートと
を備える器具取付台であり、
上記設置部材可動孔が上記設置部材軸孔を中心とした弧状の孔であるか、又は、上記取付部材可動孔が上記取付部材軸孔を中心とした弧状の孔であるかの少なくともいずれかである
ことを特徴とする器具取付台。
【請求項５】
設置面に取り付けられる設置部材と、所定の器具を取り付ける取付面を有する器具取付部材とを備える器具取付台であって、上記設置面に対して上記器具取付台の取付面の角度を調節可能に上記設置部材に上記器具取付部材が固定される器具取付台の上記設置部材に上記器具取付部材を固定するためのナットプレートであり、
上記設置部材に設けられた設置部材軸孔と上記器具取付部材に設けられた取付部材軸孔とを貫通した第１の固定部材を挿入して固定するための軸部固定孔と、
上記設置部材軸孔と上記取付部材軸孔とを貫通させた第１の固定部材を軸にして、上記設置部材に対して上記器具取付部材を所定の範囲で回動させて上記設置面に対する上記取付面の角度を調節した場合であっても、少なくとも一部が互いに重なるように上記設置部材に設けられた設置部材可動孔と上記器具取付部材に設けられた取付部材可動孔とを貫通した第２の固定部材を挿入して固定するための可動部固定孔と
を備えることを特徴とするナットプレート。
【発明の詳細な説明】
【技術分野】
【０００１】
本発明は、例えば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）路側機等の器具を取付面に取り付け、設置面に対する器具の角度を調整可能にした器具取付台と、上記器具取付台の角度調整部分を固定するために使用されるナットプレートとに関するものである。
【背景技術】
【０００２】
屋内の天井や屋外の門構等の設置面に取り付けられる設置部材と、ＤＳＲＣ路側機が取り付けられる取付面を有する器具取付部材とを備え、設置面に対する取付面の角度を調整可能なＤＳＲＣ路側機の雲台（器具取付台）がある。この雲台は、設置部材に対して器具取付部材を回転させて角度調整を行う際に、回転軸となる回転軸部分と、上記回転軸部分を軸として回動する可動部分とがそれぞれ別々のボルト及びナットで固定される。角度調整する際には、回転軸部分と可動部分とのボルトをそれぞれ緩め、可動部分を回動させて角度を調整した後、回転軸部分と可動部分とのボルトをそれぞれ締めて固定する。このように角度調整を行い、ＤＳＲＣ路側機から入出力する電波の軸を所望の角度とする。
【特許文献１】特開２００６−８４７２５号公報
【発明の開示】
【発明が解決しようとする課題】
【０００３】
しかし、上記雲台には、以下の課題がある。
（１）角度調整を行う際にボルトを緩めるには、ナット固定用工具とボルト固定用工具との２つの工具が必要である。また、上記２つの工具を同時に使用するため、両手を使って作業しなければならない。なお、ナット固定用工具とボルト固定用工具とは、例えば、スパナである。
（２）角度調整の際、回転軸と可動部との２箇所のナットを緩める必要がある。ここで、一のナットを緩めた後に他のナットを緩めると、他のナットを緩めている際、先に緩めた一のナットが脱落して紛失し易い。また、上記一のナットの脱落を防ぐには、回転軸と可動部とのそれぞれのナットを緩めた状態で、ナットが脱落しないようにナットを保持しなくてはならず、角度調整作業が容易に行えない。
【課題を解決するための手段】
【０００４】
本発明に係る器具取付台は、例えば、設置面に取り付けられる設置部材と、所定の器具を取り付ける取付面を有する器具取付部材と、上記設置部材に上記器具取付部材を固定するためのナットプレートとを備える器具取付台であって、上記設置面に対する上記器具取付部材の取付面の角度を調節可能に上記設置部材に上記器具取付部材が取り付けられる器具取付台であり、
上記設置部材は、第１の固定部材が挿入される設置部材軸孔と、第２の固定部材が挿入される設置部材可動孔とを有し、
上記器具取付部材は、上記第１の固定部材が挿入される取付部材軸孔と、上記設置部材軸孔と上記取付部材軸孔とに挿入された上記第１の固定部材を軸にして、上記設置部材に対して上記器具取付部材を所定の範囲で回動させて上記設置面に対する上記取付面の角度を調節した場合であっても、上記設置部材可動孔と少なくとも一部が重なるように設けられ、上記第２の固定部材が挿入される取付部材可動孔とを有し、
上記ナットプレートは、上記設置部材軸孔と上記取付部材軸孔とに挿入された上記第１の固定部材が挿入され、上記第１の固定部材を固定するための軸部固定孔と、上記設置部材可動孔と上記取付部材可動孔とに挿入された上記第２の固定部材が挿入され、上記第２の固定部材を固定する可動部固定孔と
を有することを特徴とする。
【発明の効果】
【０００５】
本発明に係る器具取付台は、設置部材軸孔と取付部材軸孔とに挿入された第１の固定部材と、設置部材可動孔と取付部材可動孔とに挿入された第２の固定部材とを、１つのナットプレートで固定する。そのため、角度調整を行う際には、ナットプレートを固定するための工具は必要なく、片手での作業が可能である。また、第１の固定部材と第２の固定部材との一方がナットプレートから外れても、他方で止まっているため、ナットプレートが脱落する可能性が低い。
【発明を実施するための最良の形態】
【０００６】
実施の形態１．
この実施の形態に係る器具取付台とナットプレートとについて、ＤＳＲＣ路側機のアンテナ１を取り付けるための雲台２（角度調整機）を器具取付台の例として説明する。
【０００７】
図１は、ＤＳＲＣ路側機と雲台との外観を示す図である。図１（ａ）は、ＤＳＲＣ路側機と雲台との正面図、図１（ｂ）は、ＤＳＲＣ路側機と雲台との背面図、図１（ｃ）は、ＤＳＲＣ路側機と雲台との左側面図、図１（ｄ）は、ＤＳＲＣ路側機と雲台との右側面図、図１（ｅ）は、ＤＳＲＣ路側機と雲台との平面図、図１（ｆ）は、ＤＳＲＣ路側機と雲台との底面図、図１（ｇ）は、ＤＳＲＣ路側機と雲台との正面斜視図、図１（ｈ）は、ＤＳＲＣ路側機と雲台との背面斜視図である。
図２は、雲台２の外観を示す図である。図２（ａ）は、ＤＳＲＣ路側機の正面図、図２（ｂ）は、ＤＳＲＣ路側機の背面図、図２（ｃ）は、ＤＳＲＣ路側機の左側面図、図２（ｄ）は、ＤＳＲＣ路側機の右側面図、図２（ｅ）は、ＤＳＲＣ路側機の平面図、図２（ｆ）は、ＤＳＲＣ路側機の底面図、図２（ｇ）は、ＤＳＲＣ路側機の底面斜視図、図２（ｈ）は、ＤＳＲＣ路側機の平面斜視図である。
図３は、雲台２の分解図である。図３（ａ）は、雲台２の設置部材３の左側面図であり、図３（ｂ）は、雲台２の器具取付部材４の左側面図である。
【０００８】
雲台２は、設置面１０１に取り付けられる設置部材３と、アンテナ１が取り付けられる器具取付部材４とを備える。ここで設置面１０１は、例えば、ＤＳＲＣ路側機つきの雲台２を取り付ける屋内の天井や、屋外の門構の設置面をさす。ただし、設置面１０１は、屋内の天井や屋外の門構に限定するものではない。
設置部材３は、設置面１０１に取り付けられる底面部３−１と、底面部３−１の対向する２辺に略垂直に設けられた三角形状の２つの設置側面部３−２とを有する。各設置側面部３−２には、軸孔７である設置部材軸孔７−１と、可動孔８である設置部材可動孔８−１とが設けられる。設置部材軸孔７−１は、第１の固定部材５（例えば、ボルト）の胴部５−２の径と略同一の径の孔であり、設置部材可動孔８−１は、第２の固定部材６（例えば、ボルト）の胴部６−２の径と略同一の径の孔であることが望ましい。つまり、設置部材軸孔７−１と設置部材可動孔８−１とは、第１の固定部材５や第２の固定部材６が挿入された場合に遊びとなる部分が少ない径であることが望ましい。ただし設置部材軸孔７−１と設置部材可動孔８−１の径は、遊びとなる部分が少ない径である必要はない。
器具取付部材４は、アンテナ１を取り付ける取付面４−１と、取付面４−１の対向する２辺に略垂直に設けられた台形状の２つの取付側面部４−２とを有する。各取付側面部４−２には、軸孔７である取付部材軸孔７−２と、可動孔８である取付部材可動孔８−２とが設けられる。取付部材軸孔７−２は、第１の固定部材５（例えば、ボルト）の胴部５−２の径と略同一の径の孔であることが望ましい。つまり、取付部材軸孔７−２は、第１の固定部材５が挿入された場合に遊びとなる部分が少ない径であることが望ましい。ただし取付部材軸孔７−２の径は、遊びとなる部分が少ない径である必要はない。一方、取付部材可動孔８−２は、取付部材軸孔７−２を中心とした円の幅Ｗの弧状に形成される。
一方の設置側面部３−２と取付側面部４−２とについて見ると、設置側面部３−２に設けられた設置部材軸孔７−１と、取付側面部４−２に設けられた取付部材軸孔７−２とに第１の固定部材５が挿入され固定され、設置側面部３−２に設けられた設置部材可動孔８−１と、取付側面部４−２に設けられた取付部材可動孔８−２とに第２の固定部材６が挿入され固定される。そして、第１の固定部材５と第２の固定部材６とは、単一のナットプレート９に設けられた孔に挿入され固定される。他方の設置側面部３−２と取付側面部４−２とについても同様である。
【０００９】
図４は、雲台２の構造を示す図である。図４（ａ）は、ナットプレート９を示す図である。図４（ｂ）は、雲台２の左側面図であり、破線により裏側の部材を示している。図４（ｃ）は、図４（ｂ）のＡ−Ａ’断面図である。図４（ｄ）は、雲台２の平面図であり、破線により裏側の部材を示している。
図４（ａ）に示すように、ナットプレート９は、軸部固定孔１２と可動部固定孔１３との２つの孔を有した平板状又は棒状の部材である。つまり、ナットプレート９は、ナットが２つ繋げられ、平板状又は棒状に形成された部材である。また、ナットプレート９は、雲台２と同様の素材で形成され、例えばステンレスにより形成される。
図４（ｂ）（ｃ）（ｄ）に示すように、設置部材軸孔７−１と取付部材軸孔７−２とに挿入された第１の固定部材５は、設置部材軸孔７−１と取付部材軸孔７−２とを貫通して、ナットプレート９の軸部固定孔１２に挿入されて固定される。つまり、第１の固定部材５の頭５−１と、第１の固定部材５の胴部５−２が挿入されたナットプレート９とにより、設置部材３と器具取付部材４とを挟み込んで固定する。同様に、設置部材可動孔８−１と取付部材可動孔８−２とに挿入された第２の固定部材６は、設置部材可動孔８−１と取付部材可動孔８−２とを貫通して、ナットプレート９の可動部固定孔１３に挿入されて固定される。つまり、第２の固定部材６の頭６−１と、第２の固定部材６の胴部６−２が挿入されたナットプレート９とにより、設置部材３と器具取付部材４とを挟み込んで固定する。
さらに、図４（ｃ）に示すように、第１の固定部材５と第２の固定部材６とは、ワッシャスプリング１０とワッシャー１１とを貫通してナットプレート９に固定される。
第１の固定部材５の胴部５−２は、まず、ワッシャスプリング１０に設けられた孔に挿入され、次に１つ目のワッシャー１１の孔に挿入される。次に、第１の固定部材５の胴部５−２は、取付側面部４−２の取付部材軸孔７−２に挿入され、２つ目のワッシャー１１に挿入され、設置側面部３−２の設置部材軸孔７−１に挿入される。そして、第１の固定部材５の胴部５−２は、ナットプレート９の軸部固定孔１２に挿入されて、固定される。
同様に、第２の固定部材６の胴部６−２は、まず、ワッシャスプリング１０に設けられた孔に挿入され、次に１つ目のワッシャー１１の孔に挿入される。次に、第２の固定部材６の胴部６−２は、取付側面部４−２の取付部材可動孔８−２に挿入され、２つ目のワッシャー１１に挿入され、設置側面部３−２の設置部材可動孔８−１に挿入される。そして、第２の固定部材６の胴部６−２は、ナットプレート９の可動部固定孔１３に挿入されて、固定される。
ここで、ワッシャー１１は、設置部材３と器具取付部材４との座面を安定させるための座金である。また、ワッシャスプリング１０は、切り口をねじったＣ字型等に形成された座金であり、ねじれた形状により弾力を有する。つまり、ワッシャスプリング１０は、図４（ｃ）のＢ方向に弾性を有することにより、固定された設置部材３と器具取付部材４との緩み止めの役割を果たす。
【００１０】
次に、設置面１０１に対する雲台２の取付面４−１の角度調整方法について説明する。なお、ここでは、設置部材３の底面部３−１は、設置面１０１に固定されているものとして説明する。
（Ｓ１）各設置側面部３−２、取付側面部４−２に取り付けられた第１の固定部材５と第２の固定部材６とを緩める。ここでは、第１の固定部材５と第２の固定部材６とがナットプレート９から外れない程度であって、設置部材３に対して器具取付部材４が回動する程度に、第１の固定部材５と第２の固定部材６とを緩める。ここで、取付部材可動孔８−２は、取付部材軸孔７−２を中心とした円の弧状に形成されているため、取付部材軸孔７−２を貫通した第１の固定部材５を軸にして、設置部材３に対して器具取付部材４を取付部材可動孔８−２の幅Ｗの範囲で回動させることができる。
（Ｓ２）器具取付部材４を回動させて、設置面１０１に対する取付面４−１の角度を調節する。この際、設置部材軸孔７−１と取付部材軸孔７−２とを貫通してナットプレート９の軸部固定孔１２に挿入された第１の固定部材５を軸にして、器具取付部材４を回動させる。そして、角度計等により、設置面１０１に対する取付面４−１の角度が所望の角度になっていることを確認する。つまり、屋内の天井や屋外の門構などの設置面１０１に対して、ＤＳＲＣ路側機のアンテナ１から入出力する電波の電波軸１０２が所望の角度になっていることを確認する。
（Ｓ３）第１の固定部材５と第２の固定部材６とを再び締めて、設置部材３に器具取付部材４を固定する。この際、可動孔８に挿入された第２の固定部材６を先に締めて、その後、軸孔７に挿入された第１の固定部材５を締めて、設置部材３に対して器具取付部材４が回動しないように固定する。
【００１１】
ここで、第１の固定部材５と第２の固定部材６とを固定するために、通常のナットではなく、ナットプレート９を用いていることにより、以下のような効果が得られる。
まず、（Ｓ１）で第１の固定部材５と第２の固定部材６とを緩めた際、第１の固定部材５と第２の固定部材６との一方がナットプレート９から外れてしまった場合であっても、第１の固定部材５と第２の固定部材６との他方によりナットプレート９が保持されているため、ナットプレート９が脱落することはない。つまり、ナットプレート９が脱落してしまう可能性が低い。
また、第１の固定部材５や第２の固定部材６がボルトである場合、通常のナットを使用していると、（Ｓ３）でボルトを締める際、ナットが回転しないようにナットを固定する必要がある。そのため、ナットをスパナ等で固定しながら、ボルトを締める必要がある。つまり、ナットを固定するためのスパナが必要であるとともに、一方の手でナットを固定しつつ、他方の手でボルトを締めるため、両手を使って作業しなければならない。しかし、ナットプレート９を使用することで、（Ｓ３）でボルトを締める際、ナットプレート９を固定する必要がない。これは、ナットプレート９は、２つのボルト（第１の固定部材５と第２の固定部材６）で固定されているため、回転することがないためである。そのため、（Ｓ３）の作業を片手で行うことができる。
さらに、高い場所にある設置面１０１に、ＤＳＲＣ路側機つきの雲台２を取り付ける場合、ナットプレート９の脱落する可能性が低く、また片手で作業を行うことができるため、高所での取付作業が容易となる。
また、さらに、ナットプレート９をスパナ等で固定する必要がないため、ナットプレート９の厚さを薄くすることができる。そのため、器具取付台の内部に何らかの器具を取り付ける場合に、スペースを容易に確保することができる。つまり、ナットプレート９は、強度及び締付力を保てる最小の大きさとすることができる。
また、さらに、２つのナットを用いていたところを、１つのナットプレート９とすることができるため、部品点数を減らすことができる。
【００１２】
図５は、ワッシャー１１に代えてワッシャープレート１４を備える構成とした雲台２とワッシャープレート１４とを示す図である。図５（ａ）は、雲台２の左側面図である。図５（ｂ）は、ワッシャープレート１４の一例を示す図である。図５（ｃ）は、ワッシャープレート１４の他の例を示す図である。
雲台２は、ワッシャー１１ではなく、ワッシャープレート１４を備える。ワッシャープレート１４は、軸部保護孔１７と可動部保護孔１８との２つの孔を有した平板状又は棒状の部材である。つまり、ワッシャープレート１４は、ワッシャー１１が２つ繋げられ、平板状又は棒状に形成された部材である。また、ワッシャープレート１４の可動部保護孔１８側の端部には、マーク１５が設けられている。
また、器具取付部材４の取付部材可動孔８−２付近には角度調整用の目盛１６が設けられている。目盛１６は、角度を示す印である。ワッシャープレート１４に設けられたマーク１５は、目盛１６を指し示すように設けられる。
なお、図５（ａ）に示すワッシャープレート１４は、図５（ｂ）に示す取付部材可動孔８−２側の端部を尖らせて目盛１６を指し示すマーク１５を設けている。しかし、図５（ｃ）に示すように、取付部材可動孔８−２側の端部に棒線等を付して目盛１６を指し示すマーク１５を設けてもよい。
角度調整の際、上記（Ｓ２）では、角度計等により、設置面１０１に対する取付面４−１の角度が所望の角度になっていることを確認した。しかし、図５に示す雲台２では、マーク１５が指し示す目盛１６の値により、設置面１０１に対する取付面４−１の角度が所望の角度になっていることを確認することができる。つまり、別途角度計等を用意する必要はなく容易に角度調整をすることが可能である。
【００１３】
なお、上記説明では、取付部材可動孔８−２が取付部材軸孔７−２を中心とした円の弧状に形成されるとした。しかし、設置部材可動孔８−１が設置部材軸孔７−１を中心とした円の弧状に形成されていても構わない。つまり、設置部材可動孔８−１と取付部材可動孔８−２との少なくともいずれかが、弧状に形成されていれば、角度調整の際、設置部材３に対して器具取付部材４を回動させることができるためである。
言い換えると、設置部材軸孔７−１と取付部材軸孔７−２とに挿入された第１の固定部材５を軸にして、設置部材３に対して器具取付部材４を回動させた場合に、少なくとも一部が重なるように、設置部材可動孔８−１と取付部材可動孔８−２とが設けられていればよい。
つまり、設置部材可動孔８−１と取付部材可動孔８−２との形状は、弧状に限らず、半円形、三日月形等であっても構わない。
【００１４】
また、上記説明では、器具取付台の一例としてＤＳＲＣ路側機を用いて説明した。しかし、器具取付台は、これに限らず、他のカメラ、センサ等、その他の器具を取り付ける台であればどのような台であっても構わない。
【図面の簡単な説明】
【００１５】
【図１】ＤＳＲＣ路側機と雲台との外観を示す図。
【図２】雲台２の外観を示す図。
【図３】雲台２の分解図。
【図４】雲台２の構造を示す図。
【図５】ワッシャープレート１４を備える構成とした雲台２とワッシャープレート１４とを示す図。
【符号の説明】
【００１６】
１  アンテナ、２  雲台、３  設置部材、３−１  底面部、３−２  設置側面部、４  器具取付部材、４−１  取付面、４−２  取付側面部、５  第１の固定部材、６  第２の固定部材、７  軸孔、７−１  設置部材軸孔、７−２  取付部材軸孔、８  可動孔、８−１  設置部材可動孔、８−２  取付部材可動孔、９  ナットプレート、１０  ワッシャスプリング、１１  ワッシャー、１２  軸部固定孔、１３  可動部固定孔、１４  ワッシャープレート、１５  マーク、１６  目盛、１７  軸部保護孔、１８  可動部保護孔、１０１  設置面、１０２  電波軸。
【図１】
2009156373.tif 000003
【図２】
2009156373.tif 000004
【図３】
2009156373.tif 000005
【図４】
2009156373.tif 000006
【図５】
2009156373.tif 000007